(57)【要約】【課題】個々の選択結果を隠蔽しつつ、選択結果の全体的な傾向を把握することができる集計システム、回答装置、および集計装置を提供する。【解決手段】本集計システムは、所定事項に対する択一的な選択結果を示す選択情報に基づいて数値を生成する複数の回答装置１と、その数値に基づいて選択結果を集計する集計装置２とを備えている。回答装置１は、選択情報に応じて期待値の異なる確率分布を用いて数値を生成し、その数値を集計装置２へ送信する。集計装置２は、複数の回答装置１から数値を受信し、その数値を合計する。その合計値と確率分布と回答装置１の総数とから、選択結果毎の回答装置１の数の近似値を求めることができる。【選択図】図１
2008026949.tif 000002
【特許請求の範囲】
【請求項１】
所定事項に対する択一的な選択結果を示す選択情報に基づいて数値を生成する複数の回答装置と、前記数値に基づいて選択結果を集計する集計装置とを備えた集計システムであって、
前記回答装置は、
前記選択情報に応じて期待値の異なる確率分布を用いて前記数値を生成する生成手段と、
生成された前記数値を前記集計装置へ送信する送信手段とを有し、
前記集計装置は、
複数の前記回答装置から前記数値を受信する受信手段と、
受信された前記数値を合計する合計手段とを有する
ことを特徴とする集計システム。
【請求項２】
前記選択情報が複数であり、一部の前記選択情報の内容を他の前記選択情報の内容から決定することが可能である場合に、
前記送信手段は、一部の前記選択情報を除く他の前記選択情報毎に生成された前記数値を前記集計装置へ送信し、
前記合計手段は、受信された前記数値を合計した上で、全ての前記選択情報に係る前記数値の合計値の期待値から、受信された前記数値の合計値を減算することによって、一部の前記選択情報に係る前記数値の合計値を算出する
ことを特徴とする請求項１に記載の集計システム。
【請求項３】
前記選択情報が複数であり、一部の前記選択情報の内容を他の前記選択情報の内容から決定することが可能である場合に、
前記集計装置はさらに、全ての前記選択情報に係る前記数値の合計値と、該合計値の期待値とに基づいて、前記選択情報毎に合計した前記数値の合計値を補正する補正手段を有する
ことを特徴とする請求項１に記載の集計システム。
【請求項４】
択一的な選択結果を示す選択情報に応じて期待値の異なる確率分布を用いて数値を生成する生成手段と、
生成された前記数値を、数値に基づいて選択結果を集計する集計装置へ送信する送信手段と、
を備えたことを特徴とする回答装置。
【請求項５】
前記選択情報が複数であり、一部の前記選択情報の内容を他の前記選択情報の内容から決定することが可能である場合に、前記送信手段は、一部の前記選択情報を除く他の前記選択情報毎に生成された前記数値を前記集計装置へ送信することを特徴とする請求項４に記載の回答装置。
【請求項６】
択一的な選択結果を示す選択情報に応じて期待値の異なる確率分布を用いて数値を生成する複数の回答装置から前記数値を受信する受信手段と、
受信された前記数値を合計する合計手段と、
を備えたことを特徴とする集計装置。
【請求項７】
前記選択情報が複数であり、一部の前記選択情報の内容を他の前記選択情報の内容から決定することが可能である場合に、
前記受信手段は、一部の前記選択情報を除く他の前記選択情報毎に生成された前記数値を前記回答装置から受信し、
前記合計手段は、受信された前記数値を合計した上で、全ての前記選択情報に係る前記数値の合計値の期待値から、受信された前記数値の合計値を減算することによって、一部の前記選択情報に係る前記数値の合計値を算出する
ことを特徴とする請求項６に記載の集計装置。
【請求項８】
前記選択情報が複数であり、一部の前記選択情報の内容を他の前記選択情報の内容から決定することが可能である場合に、全ての前記選択情報に係る前記数値の合計値と、該合計値の期待値とに基づいて、前記選択情報毎に合計した前記数値の合計値を補正する補正手段をさらに備えたことを特徴とする請求項６に記載の集計装置。
【発明の詳細な説明】
【技術分野】
【０００１】
本発明は、所定事項に対する選択結果を集計する集計システムに関する。また、本発明は、選択結果を通知する回答装置と、通知された選択結果を集計する集計装置にも関する。
【背景技術】
【０００２】
IP（Internet Protocol）放送等の同時配信サービスを行う場合に、IPマルチキャスト（例えば特許文献１参照）を用いた配信が一般的となっている。この配信は、送信者がどの受信者に配信しているのかを意識することなく、受信者主導で行われる。すなわち、送信者と受信者が１対１で通信を確立し配信を行うVoD（Video on Demand）のようなサービス形態と異なり、受信者は近隣のルータに配信を要求するのみであり、送信者はコンテンツの配信数を直接知ることができない。
【特許文献１】特開２００５−２５２６７０号公報
【発明の開示】
【発明が解決しようとする課題】
【０００３】
IP放送の実現時には、現行の地上波によるテレビジョン放送と同様に、番組の視聴率がビジネス上の重要な要素になると考えられる。そのため、IP放送における視聴率の測定に利用するためのマルチキャストコンテンツの受信者数の情報を収集することのできるシステムの実現が望まれる。しかし、各受信者への配信内容が受信者側から送信者側へ明示的に通知されてしまうのでは、その通知に係る通信の秘匿性に問題がある。したがって、配信内容の選択結果を集計する場合、個々の受信者の選択結果を隠蔽する必要がある。
【０００４】
また、例えば配信コンテンツの人気度調査を行う場合のように、集計側では、個々の受信者の選択結果を知ることなく全体的な選択結果の傾向を把握できれば十分な場合もある。
【０００５】
本発明は、上記の点に鑑みてなされたものであって、個々の選択結果を隠蔽しつつ、選択結果の全体的な傾向を把握することができる集計システム、回答装置、および集計装置を提供することを目的とする。
【課題を解決するための手段】
【０００６】
本発明は、上記の課題を解決するためになされたもので、択一的な選択結果を示す選択情報に基づいて数値を生成する複数の回答装置と、前記数値に基づいて選択結果を集計する集計装置とを備えた集計システムであって、前記回答装置は、前記選択情報に応じて期待値の異なる確率分布を用いて前記数値を生成する生成手段と、生成された前記数値を前記集計装置へ送信する送信手段とを有し、前記集計装置は、複数の前記回答装置から前記数値を受信する受信手段と、受信された前記数値を合計する合計手段とを有することを特徴とする集計システムである。
【０００７】
選択情報とは、例えばＹｅｓ／Ｎｏのいずれかを選択可能な設問に対する回答結果（ＹｅｓまたはＮｏの選択結果）を示す情報である。このような選択情報に対応して、選択結果毎に期待値の異なる確率分布が用意されている。例えば、Ｙｅｓという選択結果に対応して期待値Ｅ１の確率分布が用意されており、Ｎｏという選択結果に対応して期待値Ｅ２の確率分布が用意されている。生成手段は、選択情報の内容に応じて確率分布を選択し、数値を生成する。
【０００８】
合計手段が算出した合計値は、上記のような条件の場合、Ｙｅｓという選択結果に対応して生成された数値の合計値（第１の合計値とする）と、Ｎｏという選択結果に対応して生成された数値の合計値（第２の合計値とする）とを合計した値である。すなわち、Ｙｅｓという選択結果に基づいて数値を生成した回答装置の数をＮ１とし、Ｎｏという選択結果に基づいて数値を生成した回答装置の数をＮ２とすると、合計手段が算出した合計値はＮ１×Ｅ１＋Ｎ２×Ｅ２であると期待される。確率分布（Ｅ１およびＥ２）と回答装置の総数（Ｎ１＋Ｎ２）が既知であれば、合計手段が算出した合計値に基づいてＮ１とＮ２の近似値を求めることができる。したがって、個々の選択結果を隠蔽しつつ、選択結果の全体的な傾向を把握することができる。
【０００９】
また、本発明の集計システムにおいて、前記選択情報が複数であり、一部の前記選択情報の内容を他の前記選択情報の内容から決定することが可能である場合に、前記送信手段は、一部の前記選択情報を除く他の前記選択情報毎に生成された前記数値を前記集計装置へ送信し、前記合計手段は、受信された前記数値を合計した上で、全ての前記選択情報に係る前記数値の合計値の期待値から、受信された前記数値の合計値を減算することによって、一部の前記選択情報に係る前記数値の合計値を算出することを特徴とする。
【００１０】
選択情報が複数であるとは、例えばＹｅｓ／Ｎｏのいずれかを選択可能な設問が複数あり、各設問に対する選択結果毎に選択情報が存在することを意味する。複数の設問を設問１、設問２、・・・、設問ｎ（ｎ≧２）とすると、例えば選択結果がＹｅｓとなる設問がどれか１つだけであり、残りの全ての設問に対する選択結果がＮｏであることが保証されている場合には、設問１〜設問ｎ−１における選択結果から、設問ｎに係る選択結果を決定することが可能である。
【００１１】
このような場合に生成手段は、設問１〜設問ｎ−１については設問毎に数値を生成するが、設問ｎについては数値を生成しない（あるいは設問ｎについては数値を生成しても集計装置へ送信しない）。したがって、回答装置が集計装置へ送信する数値は、設問ｎ〜設問ｎ−１に係る数値のみである。合計手段は、設問１〜設問ｎ−１に係る各数値のみを全ての設問および全ての回答装置にわたって合計する。一方、設問１〜設問ｎのいずれか１つの選択結果のみがＹｅｓであり、他の全ての選択結果がＮｏである場合には、全ての回答装置（その数をＮとする）について、設問１〜設問ｎに係る数値の合計値は｛Ｅ１＋（ｎ−１）×Ｅ２｝×Ｎであると期待される。
【００１２】
この合計値（期待値）から、合計手段が算出した合計値を減じた値は、全ての回答装置についての設問ｎに係る数値の合計値であると期待される。これによって、設問１〜設問ｎ−１の回答結果から、設問１〜設問ｎ−１の各設問についてのみでなく、設問ｎについても選択結果の全体的な傾向を把握することができる。また、設問ｎに係る数値の送信を行わないことから、通信量を抑えることができる。
【００１３】
また、本発明の集計システムにおいて、前記選択情報が複数であり、一部の前記選択情報の内容を他の前記選択情報の内容から決定することが可能である場合に、前記集計装置はさらに、全ての前記選択情報に係る前記数値の合計値と、該合計値の期待値とに基づいて、前記選択情報毎に合計した前記数値の合計値を補正する補正手段を有することを特徴とする。
【００１４】
上述した条件と同様の条件の場合に、全ての設問に係る数値の合計値（設問１，・・・，ｉ，・・・，ｎに係る各数値を全ての設問および全ての回答装置にわたって合計したものであり、Ｓとする）が、確率分布に基づいて理論的に算出されるその合計値の期待値（Ｅとする）と一致することが望ましいが、実際には誤差がある。補正手段は、任意の設問ｉに係る数値の合計値Ｓｉの補正値Ｓｉ’を例えばＳｉ’＝Ｓｉ×Ｅ／Ｓとして算出する。これによって、集計結果の精度を向上することができる。
【００１５】
また、本発明は、択一的な選択結果を示す選択情報に応じて期待値の異なる確率分布を用いて数値を生成する生成手段と、生成された前記数値を、数値に基づいて選択結果を集計する集計装置へ送信する送信手段とを備えたことを特徴とする回答装置である。
【００１６】
また、本発明の回答装置において、前記選択情報が複数であり、一部の前記選択情報の内容を他の前記選択情報の内容から決定することが可能である場合に、前記送信手段は、一部の前記選択情報を除く他の前記選択情報毎に生成された前記数値を前記集計装置へ送信することを特徴とする。
【００１７】
また、本発明は、択一的な選択結果を示す選択情報に応じて期待値の異なる確率分布を用いて数値を生成する複数の回答装置から前記数値を受信する受信手段と、受信された前記数値を合計する合計手段とを備えたことを特徴とする集計装置である。
【００１８】
また、本発明の集計装置において、前記選択情報が複数であり、一部の前記選択情報の内容を他の前記選択情報の内容から決定することが可能である場合に、前記受信手段は、一部の前記選択情報を除く他の前記選択情報毎に生成された前記数値を前記回答装置から受信し、前記合計手段は、受信された前記数値を合計した上で、全ての前記選択情報に係る前記数値の合計値の期待値から、受信された前記数値の合計値を減算することによって、一部の前記選択情報に係る前記数値の合計値を算出することを特徴とする。
【００１９】
また、本発明の集計装置において、前記選択情報が複数であり、一部の前記選択情報の内容を他の前記選択情報の内容から決定することが可能である場合に、全ての前記選択情報に係る前記数値の合計値と、該合計値の期待値とに基づいて、前記選択情報毎に合計した前記数値の合計値を補正する補正手段をさらに備えたことを特徴とする。
【００２０】
なお、上記の記述に具体例を用いているのは、抽象化した本発明を具体例と対応させることによって本発明の思想をより明確にするためであり、この記述によって本発明の内容が限定されるわけではない。
【発明の効果】
【００２１】
本発明によれば、個々の選択結果を隠蔽しつつ、選択結果の全体的な傾向を把握することができるという効果が得られる。
【発明を実施するための最良の形態】
【００２２】
以下、図面を参照し、本発明の実施形態を説明する。本発明の実施形態では、受信者によるコンテンツの選択結果を調査する場合を想定する。この選択結果の集計は、一般的には不特定多数の対象者に行うアンケート調査と同等と考えられる。すなわち、各コンテンツに各設問を対応させ、各コンテンツの配信有無を回答に対応させることができる。
【００２３】
本発明の実施形態で用意されている設問は、Ｙｅｓ／Ｎｏで回答可能な２者択一形式の設問であり、コンテンツ毎の配信有無（視聴有無）を問うものである。また、本来の設問に対する回答が３種類以上ある場合（設問例：コンテンツ１〜１２のうち、どのコンテンツの配信を受けたか）にも、本来の設問を、Ｙｅｓ／Ｎｏで回答可能な複数の設問に変換する（コンテンツ１の配信を受けたか（Ｙｅｓ／Ｎｏ）、コンテンツ２の配信を受けたか（Ｙｅｓ／Ｎｏ）、・・・）。
【００２４】
図４は、設問に対する回答結果を示す回答情報（本発明の選択情報に対応）の構成を示している。設問は、特定時刻において配信を受けたコンテンツを問うものである。一般的には、時刻情報のような付加情報が一致する回答情報群のみが集計対象とされる。上記のように、本来の設問が、コンテンツ毎に配信の有無を問う形式の設問に変換されている。回答情報群４００は複数の回答情報４０１−１〜４０１−１２を含んでいる。回答情報４０１−１はコンテンツ１の配信有無を示しており、回答情報４０１−２はコンテンツ２の配信有無を示している。その他の回答情報も同様である。
【００２５】
設問に対する回答は、以下のようにして集計される。以下、回答を生成するコンピュータ装置を回答装置、回答を集計するコンピュータ装置を集計装置とする。空間Ｓ＝｛−Ｃ／２，−Ｃ／２＋１，−Ｃ／２＋２，・・・，Ｃ／２｝上に定義される確率変数Ｘ，Ｙを用意する。Ｃの値は、調査対象の数（回答装置の数）と、集計値に要求される精度とに応じた十分大きな値（例えば回答装置の数が100万台の場合、Ｃ＝1000）をとるものとする。
【００２６】
回答装置は、回答がＹｅｓの場合には、期待値Ｅ（Ｘ）が１となる確率変数Ｘの確率分布ρ（図５（ａ））に従って選択したＸの値を集計装置に通知する。また、回答装置は、回答がＮｏの場合には、期待値Ｅ（Ｙ）が０となる確率変数Ｙの確率分布η（図５（ｂ））に従って選択したＹの値を集計装置に通知する。これによって、各回答装置が集計装置に通知する内容は（Ｃに応じた程度に）隠蔽される。
【００２７】
通知を受けた集計装置は、各回答装置から通知された値を設問毎に加算する。任意の回答装置の番号をｉ、回答装置ｉが１つの設問について集計装置に通知する値をｚｉ、１回の通知で集計装置が得られる値を確率変数Ｚとすると、十分大きなｉに対して、全ての回答装置のｚｉを合計した合計値は以下のようになる。すなわち、合計値は、Ｙｅｓという回答を選択した回答装置の数と一致することが期待できる。
Σｚｉ≒ΣＥ（Ｚ）
＝｛Ｙｅｓを選択した回答装置の数｝×Ｅ（Ｘ）＋｛Ｎｏを選択した回答装置の数｝×Ｅ（Ｙ）
＝｛Ｙｅｓを選択した回答装置の数｝
【００２８】
次に、本実施形態による集計システムの構成を説明する。図１は本集計システムの構成を示している。本集計システムは、複数の回答装置１と１つの集計装置２を備えている。各回答装置１と集計装置２は、図示せぬ通信ネットワークを介して通信可能なように接続されている。集計装置２は複数であってもよいが、その場合には、いずれか１つの集計装置２を、最終的な集計を行う装置とする。
【００２９】
図２は回答装置１の主要な構成を示している。記憶部１０１は確率分布等の情報を記憶する。回答生成部１０２（生成手段）は、設問に対する回答の内容を示す回答情報を生成する。通信部１０３（送信手段）は集計装置２と通信を行い、回答情報を集計装置２へ送信する。表示部１０４は各種の情報を表示する。操作部１０５は、回答者の操作に基づいた信号を生成する。制御部１０６は回答装置１内の各部の動作を制御する。
【００３０】
設問に対する回答は以下のようにして行われる。まず、設問の内容を示す設問情報が、例えば集計装置２からマルチキャスト等で通信部１０３によって受信され、制御部１０６を介して回答生成部１０２へ出力される。回答生成部１０２は、設問情報に基づいて回答情報を生成すると判断し、以下の動作を行う。
【００３１】
例えば、設問情報に基づいて表示部１０４が設問内容を表示し、回答者が操作部１０５を操作すると、操作結果に基づいた信号が制御部１０６を介して回答生成部１０２に入力される。回答生成部１０２は、その信号に基づいて設問毎にＹｅｓ／Ｎｏの回答結果を識別する。あるいは、設問情報が受信された後、過去のコンテンツの視聴履歴が制御部１０６によって記憶部１０１から読み出され、回答生成部１０２に出力される。回答生成部１０２は、コンテンツの視聴履歴に基づいて設問毎にＹｅｓ／Ｎｏの回答結果を識別する。
【００３２】
続いて、確率分布の情報が制御部１０６によって記憶部１０１から読み出され、回答生成部１０２へ出力される。前述したように、確率分布はＹｅｓ／Ｎｏの回答毎に異なっており、回答がＹｅｓの場合には、期待値Ｅ（Ｘ）が１となる確率分布が使用され、回答がＮｏの場合には、期待値Ｅ（Ｘ）が０となる確率分布が使用される。回答生成部１０２は、設問毎に、回答内容に対応した確率分布に従って数値を生成し、各設問に対応した回答内容としてその数値を含む回答情報を生成する。上記のようにして生成された回答情報は制御部１０６を介して通信部１０３へ出力され、通信部１０３によって集計装置２へ送信される。
【００３３】
図３は集計装置２の構成を示している。記憶部２０１は各種の情報を記憶する。回答集計部２０２（集計手段）は、回答情報に基づいて回答を集計する。通信部２０３（受信手段）は回答装置１と通信を行い、回答情報を集計装置２から受信する。表示部２０４は各種の情報を表示する。操作部２０５は、集計者の操作に基づいた信号を生成する。制御部２０６は集計装置２内の各部の動作を制御する。
【００３４】
回答の集計は以下のようにして行われる。まず、集計装置２によって送信された回答情報が通信部２０３によって受信され、制御部２０６を介して回答集計部２０２へ出力される。回答集計部２０２は、回答情報に含まれる数値を設問毎に識別する。そして、回答集計部２０２は、複数の集計装置２から得られた数値を設問毎に合計する。また、必要に応じて回答集計部２０２は、得られた合計値に基づいてＹｅｓ／Ｎｏの比率等を算出する。
【００３５】
こうして得られた集計結果は制御部２０６を介して記憶部２０１に格納される。集計結果は制御部２０６によって記憶部２０１から適宜読み出されて使用される。例えば、表示部２０４に集計結果が表示される。
【００３６】
上記のようにして個々の回答装置１から得られた数値は、回答内容に対応した所定の確率分布に従って決定されたものであるので、その数値だけから回答内容を十分に推測することはできない。しかし、十分な数の回答装置１から得られた数値の合計値は、確率分布に基づいた値となり、Ｙｅｓ／Ｎｏのおおよその分布を合計値から知ることができる。したがって、個々の選択結果を隠蔽しつつ、選択結果の全体的な傾向を把握することができる。
【００３７】
上記では、２つの確率分布ρ，ηの期待値Ｅ（Ｘ），Ｅ（Ｙ）について、Ｅ（Ｘ）＝１，Ｅ（Ｙ）＝０としているが、各分布の期待値はこれ以外でもよい。例えばＥ（Ｘ）＝１，Ｅ（Ｙ）＝−１等としてもよい。
【００３８】
次に、本実施形態の変形例を説明する。図６は本集計システムの他の構成例を示している。回答装置１と集計装置２の間に回答兼集計装置３が設けられている。図６に示した集計システムでは集計作業が階層化されている。すなわち、回答兼集計装置３は複数の集計装置２から回答を集計すると共に、自身の回答を生成し、最終集計者の集計装置２へ両者の情報を送信する。集計装置２は、回答兼集計装置３から受信した集計結果と回答結果とに基づいて最終的な集計結果を求める。
【００３９】
また、ある設問の回答が他の設問の回答から導出できる場合には、その設問の回答を省略することが可能である。例えば、特定時刻に配信されたコンテンツをコンテンツ１〜１２の中から１つだけ選択させる設問は、前述したように、コンテンツ１〜コンテンツ１２の各々の配信有無を問う１２個の設問（設問１〜設問１２）に変換することができる。
【００４０】
上記の設問の場合、１２個の設問のうち、回答がＹｅｓとなる設問は１つだけであり、残りの設問に対する回答は全てＮｏであることが保証される。したがって、例えば設問１〜設問１１の回答から設問１２の回答を決定することが可能である。このような場合の回答情報の構成を図７に示す。回答情報には、設問１〜設問１１までの回答しか含まれていない。
【００４１】
集計装置２の回答集計部２０２は以下のようにして回答を集計する。もし、全ての設問に対する回答が得られたと仮定した場合、設問１〜設問１２の回答として得られた数値の合計（全ての設問および全ての回答装置にわたって数値を合計したもの）は（Ｅ１＋１１×Ｅ２）×Ｎであると期待される。ただし、Ｅ１は、Ｙｅｓという回答に対応した確率分布の期待値であり、Ｅ２は、Ｎｏという回答に対応した確率分布の期待値であり、Ｎは、回答の得られた回答装置１の数である。
【００４２】
この合計値（期待値）から、実際の合計値（Ｎ個の回答装置１から得られた設問１〜設問１１の各回答の数値の合計値）を減じた値は、全ての回答装置１についての設問１２の回答に対応した数値の合計値であると期待される。したがって、設問１〜設問１１の回答結果から、設問１〜設問１２の回答結果の全体的な傾向を把握することができる。また、上記のように一部の回答結果のみを通信することによって、通信量を抑えることができる。
【００４３】
また、必要に応じて以下のように集計値を補正してもよい。全ての設問の回答として得られた数値の合計値が、確率分布に基づいて理論的に算出されるその合計値の期待値と一致することが望ましいが、実際には誤差がある。そこで、回答集計部２０２はその誤差を補正する。
【００４４】
例えば、設問１／２／３についてどれか１つのみがＹｅｓであることが保証されている場合には、以下のようになる。各設問に用いる確率変数をＡ，Ｂ，Ｃとし、ｊ番目の回答装置１からの、各設問の回答に対応した値をａｊ，ｂｊ，ｃｊとし、回答装置１の総数をＮとすると、合計値（Σａｊ＋Σｂｊ＋Σｃｊ）の期待値はＮとなる。ただし、Ｙｅｓという回答に対応した確率分布の期待値を１、Ｎｏという回答に対応した確率分布の期待値を０とする。回答集計部２０２は、これを利用して、以下のように各設問の回答の合計値（Σａｊ，Σｂｊ，Σｃｊ）を補正し、補正値（ａ’，ｂ’，ｃ’）を得る。これによって、集計結果の精度を向上することができる。
ａ’＝Σａｊ×Ｎ／｛Σａｊ＋Σｂｊ＋Σｃｊ｝
ｂ’＝Σｂｊ×Ｎ／｛Σａｊ＋Σｂｊ＋Σｃｊ｝
ｃ’＝Σｃｊ×Ｎ／｛Σａｊ＋Σｂｊ＋Σｃｊ｝
【００４５】
また、Ｙｅｓ／Ｎｏの回答毎に個別に回答が得られるように設問をさらに分解してもよい。例えば、コンテンツ１の配信有無を問う設問を、コンテンツ１の配信有り（Ｙｅｓ）の該当有無を問う設問と、コンテンツ１の配信無し（Ｎｏ）の該当有無を問う設問とに変換する。各設問は２者択一形式であり、各設問の回答として新たにＹｅｓ／Ｎｏ（該等有り／無し）が用意される。また、各設問の回答は関連性を有する。例えばコンテンツ１の配信有り（Ｙｅｓ）の該当有無を問う設問の回答がＹｅｓ（コンテンツ１の配信を受けた）であれば、コンテンツ１の配信無し（Ｎｏ）の該当有無を問う設問の回答は必ずＮｏとなる。これによって、匿名性は低下するが集計の精度が向上する。
【００４６】
また、同じ設問に対して複数回の回答を得るようにしてもよい。この場合にも、回答に対応した数値は回答毎に個別に決定される。このように回答回数を増やすことによって、匿名性は低下するが集計の精度が向上する。
【００４７】
以上、図面を参照して本発明の実施形態について詳述してきたが、具体的な構成はこの実施形態に限られるものではなく、本発明の要旨を逸脱しない範囲の設計変更等も含まれる。例えば、正確な回答結果を得るためではなく、回答結果の傾向を得るために不特定多数の対象者に行うアンケート調査に本発明を適用してもよい。
【図面の簡単な説明】
【００４８】
【図１】本発明の一実施形態による集計システムの構成を示す概略構成図である。
【図２】本発明の一実施形態による集計システムが備える回答装置の構成を示すブロック図である。
【図３】本発明の一実施形態による集計システムが備える集計装置の構成を示すブロック図である。
【図４】本発明の一実施形態における設問に対する回答の構成を示す参考図である。
【図５】本発明の一実施形態における確率分布を示す参考図である。
【図６】本発明の一実施形態による集計システムの他の構成例を示す概略構成図である。
【図７】本発明の一実施形態における設問に対する回答の他の構成例を示す参考図である。
【符号の説明】
【００４９】
１・・・回答装置、２・・・集計装置、３・・・回答兼集計装置、１０１，２０１・・・記憶部、１０２・・・回答生成部、１０３，２０３・・・通信部、１０４，２０４・・・表示部、１０５，２０５・・・操作部、１０６，２０６・・・制御部、２０２・・・回答集計部
【図１】
2008026949.tif 000003
【図２】
2008026949.tif 000004
【図３】
2008026949.tif 000005
【図４】
2008026949.tif 000006
【図５】
2008026949.tif 000007
【図６】
2008026949.tif 000008
【図７】
2008026949.tif 000009